(57)【要約】【課題】親機に接続する子機をより自由に選択できる通話システムを提供する。【解決手段】公衆回線に接続される親機（２）と、親機と無線回線を介して接続される子機３と、を備えて構成される通話システムにおいて、親機のＣＰＵ（２７）に、無線回線に接続された子機３を無線ＬＡＮ規格に基づいて認証させる認証プログラム（２９Ｂ）を備え、子機３のＣＰＵ３６に、無線回線に接続する際に、当該無線回線に接続されている親機及び他の子機３，・・・を検索し、検索した親機及び他の子機３，・・・の識別情報を取得するマルチキャストプログラム３８Ｃと、検索した他の子機３，・・・と、ＤＬＮＡ規格に基づいて通信接続して通話を行わせる通話プログラム３８Ｉと、を備えた。【選択図】図３
2008124858.tif 000002
【特許請求の範囲】
【請求項１】
公衆回線に接続される親機と、前記親機と無線回線を介して接続される子機と、を備えて構成される通話システムにおいて、
前記親機は、
前記無線回線に接続された子機を無線ＬＡＮ規格に基づいて認証する認証手段と、
前記無線回線に接続された子機と、ＤＬＮＡ規格に基づいて通信接続して通話を行う第１通話手段と、
を備え、
前記子機は、
前記無線回線に接続する際に、当該無線回線に接続されている前記親機及び他の前記子機を検索し、検索した前記親機及び他の前記子機の識別情報を取得する検索取得手段と、
前記検索取得手段により取得された前記親機及び他の前記子機の識別情報を記憶する記憶手段と、
前記記憶手段に記憶された前記親機及び他の前記子機の識別情報を表示部に一覧表示させる表示制御手段と、
前記表示部に表示された前記親機及び他の前記子機の識別情報の中から接続する親機又は子機を選択する選択手段と、
前記選択手段により選択された親機又は子機と、ＤＬＮＡ規格に基づいて通信接続して通話を行う第２通話手段と、
前記認証手段により、前記無線回線に新たに接続された子機が認証された際に、当該子機から当該子機の識別情報を取得し、取得した当該子機の識別情報に基づいて、前記記憶手段を更新する更新手段と、
を備えることを特徴とする通話システム。
【請求項２】
公衆回線に接続される親機と、前記親機と無線回線を介して接続される子機と、を備えて構成される通話システムにおいて、
前記親機は、
前記無線回線に接続された子機を無線ＬＡＮ規格に基づいて認証する認証手段を備え、
前記子機は、
前記無線回線に接続する際に、当該無線回線に接続されている前記親機及び他の前記子機を検索し、検索した前記親機及び他の前記子機の識別情報を取得する検索取得手段と、
前記検索取得手段により検索された他の前記子機と、ＤＬＮＡ規格に基づいて通信接続して通話を行う通話手段と、
を備えることを特徴とする通話システム。
【請求項３】
公衆回線に接続される親機と、前記親機と無線回線を介して接続される子機と、を備えて構成される通話システムにおいて、
前記親機は、
前記無線回線に接続された子機を無線ＬＡＮ規格に基づいて認証する認証手段と、
前記無線回線に接続された子機と、ＤＬＮＡ規格に基づいて通信接続して通話を行う第１通話手段と、
を備え、
前記子機は、
前記無線回線に接続する際に、当該無線回線に接続されている前記親機及び他の前記子機を検索し、検索した前記親機及び他の前記子機の識別情報を取得する検索取得手段と、
前記検索取得手段により検索された前記親機及び他の前記子機と、ＤＬＮＡ規格に基づいて通信接続して通話を行う第２通話手段と、
を備えることを特徴とする通話システム。
【請求項４】
前記子機は、
前記検索取得手段により取得された識別情報を記憶する記憶手段と、
前記記憶手段に記憶された前記親機及び他の前記子機の識別情報を表示部に一覧表示させる表示制御手段と、
前記表示部に表示された前記親機及び他の前記子機の識別情報の中から接続する親機又は子機を選択する選択手段と、
を備え、
前記第２通話手段は、前記選択手段により選択された親機又は子機と、ＤＬＮＡ規格に基づいて通信接続して通話を行うことを特徴とする請求項３に記載の通話システム。
【発明の詳細な説明】
【技術分野】
【０００１】
本発明は、通話システムに関する。
【背景技術】
【０００２】
従来、公衆回線に接続される親機と、当該親機と無線回線を介して接続される子機とを備えて構成される通話システムが知られている（例えば、特許文献１）。
また、子機に複数の携帯電話機の電話番号を記憶させ、当該携帯電話機を親機として動作させるように構成した通話システムも知られている（例えば、特許文献２）。
ネットワークに接続された親機と、当該親機と無線回線を介して接続される子機とを備える通話システムにおいて、親機がネットワーク回線を介して取得したデータを子機に送信することで、子機にブラウザ機能を備えさせたものも知られている（例えば、特許文献３）。
【特許文献１】特開２００３−２４４７６６号公報
【特許文献２】特開２００２−１３５４０９号公報
【特許文献３】実開２００３−３４８２５４号公報
【発明の開示】
【発明が解決しようとする課題】
【０００３】
しかしながら、従来の親機と子機とを備える通話システムでは、決められた親機に対して決められた子機しか使用することができず、子機の個数及び種類が制限されていて、多様なニーズに応えるものではなかった。
【０００４】
本発明の課題は、親機に接続する子機をより自由に選択できる通話システムを提供することである。
【課題を解決するための手段】
【０００５】
請求項１に記載の発明は、公衆回線に接続される親機と、前記親機と無線回線を介して接続される子機と、を備えて構成される通話システムにおいて、
前記親機は、
前記無線回線に接続された子機を無線ＬＡＮ規格に基づいて認証する認証手段と、
前記無線回線に接続された子機と、ＤＬＮＡ規格に基づいて通信接続して通話を行う第１通話手段と、
を備え、
前記子機は、
前記無線回線に接続する際に、当該無線回線に接続されている前記親機及び他の前記子機を検索し、検索した前記親機及び他の前記子機の識別情報を取得する検索取得手段と、
前記検索取得手段により取得された前記親機及び他の前記子機の識別情報を記憶する記憶手段と、
前記記憶手段に記憶された前記親機及び他の前記子機の識別情報を表示部に一覧表示させる表示制御手段と、
前記表示部に表示された前記親機及び他の前記子機の識別情報の中から接続する親機又は子機を選択する選択手段と、
前記選択手段により選択された親機又は子機と、ＤＬＮＡ規格に基づいて通信接続して通話を行う第２通話手段と、
前記認証手段により、前記無線回線に新たに接続された子機が認証された際に、当該子機から当該子機の識別情報を取得し、取得した当該子機の識別情報に基づいて、前記記憶手段を更新する更新手段と、
を備えることを特徴としている。
【０００６】
請求項２に記載の発明は、公衆回線に接続される親機と、前記親機と無線回線を介して接続される子機と、を備えて構成される通話システムにおいて、
前記親機は、
前記無線回線に接続された子機を無線ＬＡＮ規格に基づいて認証する認証手段を備え、
前記子機は、
前記無線回線に接続する際に、当該無線回線に接続されている前記親機及び他の前記子機を検索し、検索した前記親機及び他の前記子機の識別情報を取得する検索取得手段と、
前記検索取得手段により検索された他の前記子機と、ＤＬＮＡ規格に基づいて通信接続して通話を行う通話手段と、
を備えることを特徴としている。
【０００７】
請求項３に記載の発明は、公衆回線に接続される親機と、前記親機と無線回線を介して接続される子機と、を備えて構成される通話システムにおいて、
前記親機は、
前記無線回線に接続された子機を無線ＬＡＮ規格に基づいて認証する認証手段と、
前記無線回線に接続された子機と、ＤＬＮＡ規格に基づいて通信接続して通話を行う第１通話手段と、
を備え、
前記子機は、
前記無線回線に接続する際に、当該無線回線に接続されている前記親機及び他の前記子機を検索し、検索した前記親機及び他の前記子機の識別情報を取得する検索取得手段と、
前記検索取得手段により検索された前記親機及び他の前記子機と、ＤＬＮＡ規格に基づいて通信接続して通話を行う第２通話手段と、
を備えることを特徴としている。
【０００８】
請求項４に記載の発明は、請求項３に記載の通話システムにおいて、
前記子機は、
前記検索取得手段により取得された識別情報を記憶する記憶手段と、
前記記憶手段に記憶された前記親機及び他の前記子機の識別情報を表示部に一覧表示させる表示制御手段と、
前記表示部に表示された前記親機及び他の前記子機の識別情報の中から接続する親機又は子機を選択する選択手段と、
を備え、
前記第２通話手段は、前記選択手段により選択された親機又は子機と、ＤＬＮＡ規格に基づいて通信接続して通話を行うことを特徴としている。
【発明の効果】
【０００９】
請求項１に記載の発明によれば、親機において、認証手段により、無線回線に接続された子機が無線ＬＡＮ規格に基づいて認証され、第１通話手段により、無線回線に接続された子機と、ＤＬＮＡ規格に基づいて通信接続して通話が行われ、子機において、検索取得手段により、無線回線に接続する際に、当該無線回線に接続されている親機及び他の子機が検索され、検索された親機及び他の子機の識別情報が取得され、第２通話手段により、検索取得手段によって検索された親機及び他の子機と、ＤＬＮＡ規格に基づいて通信接続して通話が行われるので、無線ＬＡＮ規格に基づいて認証可能で、且つ、ＤＬＮＡ規格に基づいて通信接続可能な機器であれば、なんであっても子機として無線回線に接続して、当該無線回線に接続されている親機及び他の子機と通話できるので、親機に接続する子機の個数及び種類をより自由に選択することができる。
【００１０】
また、子機において、記憶手段により、検索取得手段によって取得された識別情報が記憶され、表示制御手段により、記憶手段に記憶された親機及び他の子機の識別情報が表示部に一覧表示され、選択手段により、表示部に表示された親機及び他の子機の識別情報の中から接続する親機又は子機が選択され、第２通話手段により、選択手段によって選択された親機又は子機と、ＤＬＮＡ規格に基づいて通信接続して通話が行われるので、子機のユーザが無線回線に接続されている親機及び他の子機を認識していなくても、所望する親機又は子機とより容易に接続することができる。
【００１１】
また、子機において、更新手段により、認証手段によって、無線回線に新たに接続された子機が認証された際に、当該子機から当該子機の識別情報が取得され、取得された当該子機の識別情報に基づいて、記憶手段が更新されるので、無線回線に新たに子機が追加された場合にも、当該無線回線に接続されている他の子機全てを一覧表示して選択することができる。
【００１２】
請求項２に記載の発明によれば、親機において、認証手段により、無線回線に接続された子機が無線ＬＡＮ規格に基づいて認証され、子機において、検索取得手段により、無線回線に接続する際に、当該無線回線に接続されている親機及び他の子機が検索され、検索された親機及び他の子機の識別情報が取得され、通話手段により、検索取得手段によって検索された他の子機と、ＤＬＮＡ規格に基づいて通信接続して通話が行われるので、無線ＬＡＮ規格に基づいて認証可能で、且つ、ＤＬＮＡ規格に基づいて通信接続可能な機器であれば、なんであっても子機として無線回線に接続して、当該無線回線に接続されている他の子機と通話できるので、親機に接続する子機の個数及び種類をより自由に選択することができる。
【００１３】
請求項３に記載の発明によれば、親機において、認証手段により、無線回線に接続された子機が無線ＬＡＮ規格に基づいて認証され、第１通話手段により、無線回線に接続された子機と、ＤＬＮＡ規格に基づいて通信接続して通話が行われ、子機において、検索取得手段により、無線回線に接続する際に、当該無線回線に接続されている親機及び他の子機が検索され、検索された親機及び他の子機の識別情報が取得され、第２通話手段により、検索取得手段によって検索された親機及び他の子機と、ＤＬＮＡ規格に基づいて通信接続して通話が行われるので、無線ＬＡＮ規格に基づいて認証可能で、且つ、ＤＬＮＡ規格に基づいて通信接続可能な機器であれば、なんであっても子機として無線回線に接続して、当該無線回線に接続されている親機及び他の子機と通話できるので、親機に接続する子機の個数及び種類をより自由に選択することができる。
【００１４】
請求項４に記載の発明によれば、請求項３に記載の発明と同様の効果が得られるのは勿論のこと、特に、子機において、記憶手段により、検索取得手段によって取得された識別情報が記憶され、表示制御手段により、記憶手段に記憶された親機及び他の子機の識別情報が表示部に一覧表示され、選択手段により、表示部に表示された親機及び他の子機の識別情報の中から接続する親機又は子機が選択され、第２通話手段により、選択手段によって選択された親機又は子機と、ＤＬＮＡ規格に基づいて通信接続して通話が行われるので、子機のユーザが無線回線に接続されている親機及び他の子機を認識していなくても、所望する親機又は子機とより容易に接続することができる。
【発明を実施するための最良の形態】
【００１５】
以下、図を参照して、本発明に係る通話システムを実施するための最良の形態を詳細に説明する。
【００１６】
本発明に係る通話システム１は、例えば、図１に示すように、公衆回線Ｔを介して外部電話機（図示省略）と接続されている。なお、通話システム１に接続される外部電話機の数は任意である。
【００１７】
通話システム１は、例えば、図１に示すように、公衆回線Ｔに接続される親機２，当該親機２と無線回線（図示省略）を介して接続される子機３，・・・等を備えて構成されている。
【００１８】
親機２は、例えば、図１，図２に示すように、接続部２１，無線通信部２２，受話部２３，変換部２４，表示部２５，操作部２６，ＣＰＵ（Central  Processing  Unit）２７，ＲＡＭ（Random  Access  Memory）２８，記憶部２９等を備えて構成される。
【００１９】
接続部２１は、例えば、着信検出部（図示省略）等を備えて構成されている。着信検出部は、例えば、着信検出回路等を備えて構成され、回線電流の電圧を検出することにより着信を検出する。
【００２０】
無線通信部２２は、例えば、ＲＦモジュール等を備えて構成され、子機３，・・・等と無線通信を行う。なお、無線ＬＡＮとしては、例えば、Ｂｌｕｅｔｏｏｔｈ規格、ＩＥＥＥ（Institute  of  Electricaland  Electronic  Engineers）８０２．１１規格、Ｅｔｈｅｒｎｅｔ(登録商標)規格に準じたネットワークが挙げられる。
【００２１】
受話部２３は、例えば、スピーカ，マイク等を備えて構成される。スピーカは、例えば、変換部２４から入力される電気信号に基づく音声を出力する。マイクは、例えば、ユーザが発する音声を取得して電気信号に変換し、変換部２４に出力する。
【００２２】
変換部２４は、例えば、ＣＰＵ２７から入力される制御信号に従って、受話部２３又は公衆回線を介して外部電話機（図示省略）から入力される電気信号をＭＰ３等の音声データに変換する。また、無線回線を介して入力されるＭＰ３等の音声データを電気信号に変換して受話部２３に出力する。
【００２３】
表示部２５は、例えば、液晶パネル等を備えて構成され、ＣＰＵ２７から入力される制御信号に従って、各種操作画面，操作結果画面等を表示する。また、表示部２５は、ＣＰＵ２７が、後述する表示制御プログラム２９Ｄを実行することにより制御されて、無線回線（図示省略）を介して接続される複数の子機３，・・・の識別情報を一覧表示する。
【００２４】
操作部２６は、例えば、各種の操作キー，数字キー等を備えて構成され、これらキーが押下されることにより、各種の操作信号，電話番号等をＣＰＵ２７に出力する。また、操作部２６は、表示部２５に一覧表示された子機３，・・・の識別情報から、接続する子機３の識別情報を選択する操作信号をＣＰＵ２７に出力する。
【００２５】
ＣＰＵ２７は、例えば、記憶部２９に格納された処理プログラム等を読み出して、ＲＡＭ２８に展開して実行することにより、親機２全体の制御を行う。
【００２６】
ＲＡＭ２８は、例えば、ＣＰＵ２７により実行された処理プログラム等を、ＲＡＭ２８内のプログラム格納領域に展開するとともに、入力データや上記処理プログラムが実行される際に生じる処理結果等をデータ格納領域に格納する。
【００２７】
記憶部２９は、例えば、プログラムやデータなどが予め記憶されている記録媒体（図示省略）を有しており、この記録媒体は、例えば、半導体メモリ等で構成されている。また、記憶部２９は、ＣＰＵ２７が親機２全体を制御する機能を実現させる各種データ，各種処理プログラム，これらプログラムの実行により処理されたデータ等を記憶する。より具体的には、記憶部２９は、例えば、図２に示すように、一覧データファイル２９Ａ，認証プログラム２９Ｂ，更新プログラム２９Ｃ，表示制御プログラム２９Ｄ，ブラウズプログラム２９Ｅ，通信確認プログラム２９Ｆ，信号音出力プログラム２９Ｇ，通話プログラム２９Ｈ等を格納している。
【００２８】
一覧データファイル２９Ａは、例えば、無線回線（図示省略）に接続されている子機３，・・・を識別するための識別情報を記憶している。ここで、識別情報とは、例えば、当該子機３，・・・の機種，電話番号等の機器情報である。
【００２９】
認証プログラム２９Ｂは、例えば、ＣＰＵ２７に、無線回線（図示省略）に接続された子機３を無線ＬＡＮ規格に基づいて認証する機能を実現させるプログラムである。より具体的には、認証プログラム２９Ｂは、例えば、ＣＰＵ２７に、無線回線に接続された子機３を検出した際に、当該子機３に対して、認証情報を要求する認証情報要求信号を送信し、当該子機３から送信された認証情報が予め親機２において記憶されている認証情報と一致するか否かを判断し、一致する場合にのみ、当該子機３の無線回線への接続を認証する機能を実現させるプログラムである。ここで、認証情報とは、例えば、ＳＳＩＤ（Service  Set  Identifier）である。ＣＰＵ２７は、かかる認証プログラム２９Ｂを実行することにより、認証手段として機能する。
【００３０】
更新プログラム２９Ｃは、例えば、ＣＰＵ２７に、無線回線に新たに接続された子機３を検出し、認証プログラム２９Ｂを実行することにより、当該子機３を認証した際に、当該子機３から当該子機３の識別情報を取得し、取得した当該子機３の識別情報に基づいて、一覧データファイル２９Ａを更新する機能を実現させるプログラムである。
【００３１】
表示制御プログラム２９Ｄは、例えば、ＣＰＵ２７に、表示部２５を制御して、一覧データファイル２９Ａに記憶されている子機３，・・・の識別情報を一覧表示させる機能を実現させるプログラムである。
【００３２】
ブラウズプログラム２９Ｅは、例えば、ＣＰＵ２７に、ＤＬＮＡ規格に基づいて、ブラウズを行う機能を実現させるプログラムである。より具体的には、ブラウズプログラム２９Ｅは、例えば、ＣＰＵ２７に、操作部２６から選択された子機３を対象として、又は、無線回線に接続されている子機３を対象として、ＤＬＮＡ規格に基づくブラウズを行って当該子機３のＵＲＩ（Uniform  Resource  Indicator）を取得する機能を実現させるプログラムである。
【００３３】
通信確認プログラム２９Ｆは、例えば、ＣＰＵ２７に、ＨＴＴＰ  ＨＥＡＤを用いて、接続確認を行う機能を実現させるプログラムである。より具体的には、通信確認プログラム２９Ｆは、例えば、ＣＰＵ２７に、ブラウズプログラム２９Ｅを実行することにより取得した子機３のＵＲＩを指定して、ＨＴＴＰ  ＨＥＡＤを用いた要求信号を送信し、当該子機３からＨＴＴＰのヘッダ情報が返信されるか否かにより、通信可能か否かを確認する機能を実現させるプログラムである。
【００３４】
信号音出力プログラム２９Ｇは、例えば、ＣＰＵ２７に、通話待機音，着信音，不通音，保留音等を出力する機能を実現させるプログラムである。
【００３５】
通話プログラム２９Ｈは、例えば、ＣＰＵ２７に、変換部２４を制御して、受話部２３から入力される電気信号をＭＰ３等の音声データに変換させ、無線通信部２２を制御して当該音声データを接続先の子機３に送信させる機能を実現させるプログラムである。また、通話プログラム２９Ｈは、例えば、ＣＰＵ２７に、変換部２４を制御して、無線回線を介して入力されるＭＰ３等の音声データを電気信号に変換させて受話部２３に出力させる機能を実現させるプログラムである。ここで、無線回線を介する音声データの送受信は、例えば、ＨＴＴＰ  ＧＥＴを用いて行われる。
ＣＰＵ２７は、かかるブラウズプログラム２９Ｅ，通信確認プログラム２９Ｆ，通話プログラム２９Ｈを実行することにより、第１通話手段として機能する。
【００３６】
子機３は、例えば、図１，図３に示すように、無線通信部３１，受話部３２，変換部３３，表示部３４，操作部３５，ＣＰＵ３６，ＲＡＭ３７，記憶部３８等を備えて構成される。
【００３７】
無線通信部３１は、例えば、ＲＦモジュール等を備えて構成され、親機２及び他の子機３，・・・等と無線通信を行う。なお、無線ＬＡＮとしては、例えば、Ｂｌｕｅｔｏｏｔｈ規格、ＩＥＥＥ（Institute  of  Electricaland  Electronic  Engineers）８０２．１１規格、Ｅｔｈｅｒｎｅｔ規格に準じたネットワークが挙げられる。
【００３８】
受話部３２は、例えば、スピーカ，マイク等を備えて構成される。スピーカは、例えば、変換部３３から入力される電気信号に基づく音声を出力する。マイクは、例えば、ユーザが発する音声を取得して電気信号に変換し、変換部３３に出力する。
【００３９】
変換部３３は、例えば、ＣＰＵ３６から入力される制御信号に従って、受話部３２から入力される電気信号をＭＰ３等の音声データに変換する。また、無線回線を介して入力されるＭＰ３等の音声データを電気信号に変換して受話部３２に出力する。
【００４０】
表示部３４は、例えば、液晶パネル等を備えて構成され、ＣＰＵ３６から入力される制御信号に従って、各種操作画面，操作結果画面等を表示する。また、表示部３４は、ＣＰＵ３６が、後述する表示制御プログラム３８Ｅを実行することにより制御されて、無線回線（図示省略）を介して接続される親機２及び他の子機３，・・・の識別情報を一覧表示する。
【００４１】
操作部３５は、例えば、各種の操作キー，数字キー等を備えて構成され、これらキーが押下されることにより、各種の操作信号，電話番号等をＣＰＵ３６に出力する。また、操作部３５は、表示部３４に一覧表示された親機２及び他の子機３，・・・の識別情報から、接続する親機２又は子機３の識別情報を選択する操作信号をＣＰＵ３６に出力し、選択手段として機能する。
【００４２】
ＣＰＵ３６は、例えば、記憶部３８に格納された処理プログラム等を読み出して、ＲＡＭ３７に展開して実行することにより、子機３全体の制御を行う。
【００４３】
ＲＡＭ３７は、例えば、ＣＰＵ３６により実行された処理プログラム等を、ＲＡＭ３７内のプログラム格納領域に展開するとともに、入力データや上記処理プログラムが実行される際に生じる処理結果等をデータ格納領域に格納する。
【００４４】
記憶部３８は、例えば、プログラムやデータなどが予め記憶されている記録媒体（図示省略）を有しており、この記録媒体は、例えば、半導体メモリ等で構成されている。また、記憶部３８は、ＣＰＵ３６が子機３全体を制御する機能を実現させる各種データ，各種処理プログラム，これらプログラムの実行により処理されたデータ等を記憶する。より具体的には、記憶部３８は、例えば、図３に示すように、一覧データファイル３８Ａ，認証プログラム３８Ｂ，マルチキャストプログラム３８Ｃ，更新プログラム３８Ｄ，表示制御プログラム３８Ｅ，ブラウズプログラム３８Ｆ，通信確認プログラム３８Ｇ，信号音出力プログラム３８Ｈ，通話プログラム３８Ｉ等を格納している。
【００４５】
一覧データファイル３８Ａは、例えば、無線回線（図示省略）に接続されている親機２及び他の子機３，・・・を識別するための識別情報を記憶している。ここで、識別情報とは、例えば、当該親機２及び他の子機３，・・・の機種，電話番号等の機器情報である。記憶部３８は、かかる一覧データファイル３８Ａを格納することにより、記憶手段として機能する。
【００４６】
認証プログラム３８Ｂは、例えば、ＣＰＵ３６に、無線回線（図示省略）に接続する際に、親機２に当該子機３の認証情報を送信して、無線ＬＡＮ規格に基づいて認証してもらう機能を実現させるプログラムである。より具体的には、認証プログラム３８Ｂは、例えば、ＣＰＵ３６に、無線回線に接続する際に、親機２から認証情報を要求する認証情報要求信号を受信した場合に、親機２に当該子機３の認証情報を送信する機能を実現させるプログラムである。ここで、認証情報とは、例えば、ＳＳＩＤである。
【００４７】
マルチキャストプログラム３８Ｃは、例えば、ＣＰＵ３６に、無線回線に接続する際に、当該無線回線に接続されている親機２及び他の子機３，・・・を検索し、検索した親機２及び他の子機３，・・・の識別情報とを取得する機能を実現させるプログラムである。ここで、無線回線に接続されている親機２及び他の子機３，・・・の検索及び当該親機２及び他の子機３，・・・の識別情報の取得は、例えば、Ｍ−ＳＥＡＲＣＨを用いて行われる。ＣＰＵ３６は、かかるマルチキャストプログラム３８Ｃを実行することにより検索取得手段として機能する。
【００４８】
更新プログラム３８Ｄは、例えば、ＣＰＵ３６に、無線回線に新たに子機３が接続し、親機２により当該子機３が認証された際に、当該子機３から当該子機３の識別情報を取得し、取得した当該子機３の識別情報に基づいて、一覧データファイル３８Ａを更新する機能を実現させるプログラムである。ＣＰＵ３６は、かかる更新プログラム３８Ｄを実行することにより、更新手段として機能する。
【００４９】
表示制御プログラム３８Ｅは、例えば、ＣＰＵ３６に、表示部３４を制御して、一覧データファイル３８Ａに記憶されている親機２及び他の子機３，・・・の識別情報を一覧表示させる機能を実現させるプログラムである。ＣＰＵ３６は、かかる表示制御プログラム３８Ｅを実行することにより、表示制御手段として機能する。
【００５０】
ブラウズプログラム３８Ｆは、例えば、ＣＰＵ３６に、ＤＬＮＡ規格に基づいて、ブラウズを行う機能を実現させるプログラムである。より具体的には、ブラウズプログラム３８Ｆは、例えば、ＣＰＵ３６に、操作部３５から選択された親機２又は子機３を対象として、ＤＬＮＡ規格に基づくブラウズを行って当該親機２又は子機３のＵＲＩを取得する機能を実現させるプログラムである。
【００５１】
通信確認プログラム３８Ｇは、例えば、ＣＰＵ３６に、ＨＴＴＰ  ＨＥＡＤを用いて、接続確認を行う機能を実現させるプログラムである。より具体的には、通信確認プログラム３８Ｇは、例えば、ＣＰＵ３６に、ブラウズプログラム３８Ｆを実行することにより取得した親機２又は他の子機３のＵＲＩを指定して、ＨＴＴＰ  ＨＥＡＤを用いた要求信号を送信し、当該親機２又は他の子機３からＨＴＴＰのヘッダ情報が返信されるか否かにより、通信可能か否かを確認する機能を実現させるプログラムである。
【００５２】
信号音出力プログラム３８Ｈは、例えば、ＣＰＵ３６に、通話待機音，着信音，不通音，保留音等を出力する機能を実現させるプログラムである。
【００５３】
通話プログラム３８Ｉは、例えば、ＣＰＵ３６に、変換部３３を制御して、受話部３２から入力される電気信号をＭＰ３等の音声データに変換させ、無線通信部３１を制御して当該音声データを接続先の親機２又は他の子機３に送信させる機能を実現させるプログラムである。また、通話プログラム３８Ｉは、例えば、ＣＰＵ３６に、変換部３３を制御して、無線回線を介して入力されるＭＰ３等の音声データを電気信号に変換させて受話部３２に出力させる機能を実現させるプログラムである。ここで、無線回線を介する音声データの送受信は、例えば、ＨＴＴＰ  ＧＥＴを用いて行われる。
ＣＰＵ３６は、かかるブラウズプログラム３８Ｆ，通信確認プログラム３８Ｇ，通話プログラム３８Ｉを実行することにより、第２通話手段として機能する。
【００５４】
次に、上述のような構成の通話システム１における認証動作の一例について、図４に示すフローチャートを参照しながら説明する。
まず、親機２において、無線回線に新たに接続された子機３を検出すると（ステップＳ１）、ＣＰＵ２７は、認証プログラム２９Ｂを実行することにより、当該子機３に対して、認証情報を要求する認証情報要求信号を送信する（ステップＳ２）。
【００５５】
次に、無線回線に新たに接続された子機３が、親機２から送信された認証情報要求信号を受信すると（ステップＳ３）、ＣＰＵ３６は、認証プログラム３８Ｂを実行することにより、親機２に当該子機３の認証情報を送信する（ステップＳ４）。
【００５６】
次に、親機２が子機３から送信された認証情報を受信すると（ステップＳ５）、ＣＰＵ２７は、認証プログラム２９Ｂの実行に基づいて、子機３から送信された認証情報が予め親機２において記憶されている認証情報と一致するか否かを判断する（ステップＳ６）。
【００５７】
ステップＳ６において、ＣＰＵ２７が、子機３から送信された認証情報が予め親機２において記憶されている認証情報と一致しないと判断した場合には（ステップＳ６；Ｎｏ）、本処理を終了する。
ステップＳ６において、ＣＰＵ２７が、子機３から送信された認証情報が予め親機２において記憶されている認証情報と一致すると判断した場合には（ステップＳ６；Ｙｅｓ）、ＣＰＵ２７は、当該子機３の無線回線への接続を認証する（ステップＳ７）。
【００５８】
次に、ステップＳ７において認証された子機３において、ＣＰＵ３６は、マルチキャストプログラム３８Ｃを実行することにより、当該無線回線に接続されている親機２を検索し、検索した親機２に対して、当該親機２の識別情報を要求する識別情報要求信号を送信する（ステップＳ８）。
【００５９】
次に、親機２が、子機３から識別情報要求信号を受信すると（ステップＳ９）、ＣＰＵ２７は、無線通信部２２を制御して、当該親機２の識別情報を子機３に送信させる（ステップＳ１０）。
【００６０】
次に、子機３が親機２から当該親機２の識別情報を受信すると、ＣＰＵ３６は、受信した親機２の識別情報を一覧データファイル３８Ａに記憶するとともに（ステップＳ１１）、マルチキャストプログラム３８Ｃの実行に基づいて、当該無線回線に接続されている他の子機３，・・・を検索し、検索した他の子機３，・・・に対して、当該子機３の識別情報を要求する識別情報要求信号を送信する（ステップＳ１２）。
【００６１】
次に、他の子機３，・・・が、子機３から識別情報要求信号を受信すると（ステップＳ１３）、当該他の子機３，・・・のＣＰＵ３６は、無線通信部３１を制御して、当該他の子機３の識別情報を子機３に送信させる（ステップＳ１４）。
【００６２】
次に、子機３が他の子機３，・・・から当該他の子機３の識別情報を受信すると、ＣＰＵ３６は、受信した他の子機３，・・・の識別情報を一覧データファイル３８Ａに記憶する（ステップＳ１５）。
【００６３】
次に、親機２において、ＣＰＵ２７が、更新プログラム２９Ｃを実行することにより、無線通信部２２を制御して、ステップＳ７において認証した子機３に対して、識別情報要求信号を送信させる（ステップＳ１６）。
【００６４】
次に、子機３が親機２から識別情報要求信号を受信すると（ステップＳ１７）、ＣＰＵ３６は、無線通信部３１を制御して、当該子機３の識別情報を親機２に送信させる（ステップＳ１８）。
【００６５】
次に、親機２が、子機３から当該子機３の識別情報を受信すると、ＣＰＵ２７は、更新プログラム２９Ｃの実行に基づいて、受信した子機３の識別情報に基づいて、一覧データファイル２９Ａを更新する（ステップＳ１９）。
【００６６】
次に、他の子機３，・・・において、ＣＰＵ３６が更新プログラム３８Ｄを実行することにより、無線通信部３１を制御して、ステップＳ７において認証された子機３に対して、識別情報要求信号を送信させる（ステップＳ２０）。
【００６７】
次に、子機３が他の子機３，・・・から識別情報要求信号を受信すると（ステップＳ２１）、ＣＰＵ３６は、無線通信部３１を制御して、当該子機３の識別情報を他の子機３，・・・に送信させる（ステップＳ２２）。
【００６８】
次に、他の子機３，・・・が、子機３から当該子機３の識別情報を受信すると、ＣＰＵ３６は、更新プログラム３８Ｄの実行に基づいて、受信した子機３の識別情報に基づいて、一覧データファイル３８Ａを更新する（ステップＳ２３）。
【００６９】
次に、本実施形態に係る通話システム１における第２子機３が通話可能な場合の第１子機３と第２子機３との通話開始動作の一例について図５に示すフローチャートを参照しながら説明する。
まず、第１子機３において、ＣＰＵ３６が表示制御プログラム３８Ｅを実行することにより、表示部３４に、無線回線に接続されている親機２と他の子機３，・・・の識別情報が一覧表示され、操作部３５から、表示部３４に一覧表示された親機２及び他の子機３，・・・の識別情報から、接続する子機３（第２子機３）の識別情報を選択する操作信号が出力されると（ステップＳ１０１）、ＣＰＵ３６は、ブラウズプログラム３８Ｆを実行することにより、無線通信部３１を制御して、選択された第２子機３を検索するブラウズ信号を送信させる（ステップＳ１０２）。
【００７０】
次に、第２子機３が、第１子機３から送信されたブラウズ信号を受信すると（ステップＳ１０３）、第２子機３のＣＰＵ３６は、無線通信部３１を制御して、当該第２子機３のＵＲＩを第１子機３に送信させる（ステップＳ１０４）。
【００７１】
次に、第１子機３が、第２子機３から送信されたＵＲＩを受信する（ステップＳ１０５）。
【００７２】
次に、第２子機３のＣＰＵ３６は、ブラウズプログラム３８Ｆを実行することにより、無線通信部３１を制御して、第１子機３を検索するブラウズ信号を送信する（ステップＳ１０６）。
【００７３】
次に、第１子機３が、第２子機３から送信されたブラウズ信号を受信すると（ステップＳ１０７）、第１子機３のＣＰＵ３６は、無線通信部３１を制御して、当該第１子機３のＵＲＩを第２子機３に送信させる（ステップＳ１０８）。
【００７４】
次に、第２子機３が、第１子機３から送信されたＵＲＩを受信する（ステップＳ１０９）。
【００７５】
次に、第２子機３のＣＰＵ３６は、通信確認プログラム３８Ｇを実行することにより、無線通信部３１を制御して、第１子機３のＵＲＩを指定して、ＨＴＴＰ  ＨＥＡＤを用いた要求信号を送信させ、第１子機３からＨＴＴＰのヘッダ情報が返信されるか否かにより、通信可能か否かを確認する（ステップＳ１１０）。
【００７６】
同様に、第１子機３のＣＰＵ３６は、通信確認プログラム３８Ｇを実行することにより、無線通信部３１を制御して、第２子機３のＵＲＩを指定して、ＨＴＴＰ  ＨＥＡＤを用いた要求信号を送信させ、第２子機３からＨＴＴＰのヘッダ情報が返信されるか否かにより、通信可能か否かを確認する（ステップＳ１１１）。
【００７７】
次に、第１子機３のＣＰＵ３６は、信号音出力プログラム３８Ｈを実行することにより、通話待機音を出力する（ステップＳ１１２）。
【００７８】
次に、第１子機３のＣＰＵ３６は、通話プログラム３８Ｉを実行することにより、無線通信部３１を制御して、第２子機３のＵＲＩを指定して、ＨＴＴＰ  ＧＥＴを用いた音声データ要求信号を送信させる（ステップＳ１１３）。
【００７９】
次に、第２子機３が、第１子機３から送信された音声データ要求信号を受信すると（ステップＳ１１４）、第２子機３のＣＰＵ３６は、信号音出力プログラム３８Ｈを実行することにより、着信音を出力する（ステップＳ１１５）。
【００８０】
次に、第２子機３のＣＰＵ３６は、通話プログラム３８Ｉを実行することにより、無線通信部３１を制御して、第１子機３のＵＲＩを指定して、ＨＴＴＰ  ＧＥＴを用いた音声データ要求信号を送信させる（ステップＳ１１６）。
【００８１】
次に、第１子機３が、第２子機３から送信された音声データ要求信号を受信すると（ステップＳ１１７）、第１子機３のＣＰＵ３６は、通話プログラム３８Ｉの実行に基づいて、受話部３２から入力される電気信号をＭＰ３等の音声データに変換させ、無線通信部３１を制御して当該音声データを応答信号として第２子機３に送信させる（ステップＳ１１８）。
【００８２】
次に、第２子機３が、第１子機３から、応答信号としての音声データを受信し（ステップＳ１１９）、ユーザにより操作部３５の通話ボタン（図示省略）が押下されると（ステップＳ１２０）、第２子機３のＣＰＵ３６は、通話プログラム３８Ｉの実行に基づいて、受話部３２から入力される電気信号をＭＰ３等の音声データに変換させ、無線通信部３１を制御して当該音声データを応答信号として第１子機３に送信させる（ステップＳ１２１）。
【００８３】
次に、第１子機３が、第２子機３から、応答信号としての音声データを受信すると（ステップＳ１２２）、第１子機３と第２子機３との間で通話が開始される（ステップＳ１２３，ステップＳ１２４）。
【００８４】
次に、本実施形態に係る通話システム１における第２子機３が着信拒否する場合の第１子機３と第２子機３との通話開始動作の一例について図６に示すフローチャートを参照しながら説明する。
なお、ステップＳ２０１〜ステップＳ２１９までの処理は、図５に示すフローチャートのステップＳ１０１〜ステップＳ１１９までの処理と同じであるので、その説明を省略する。
【００８５】
ユーザにより操作部３５の切断ボタン（図示省略）が押下されると（ステップＳ２２０）、第２子機３のＣＰＵ３６は、通話プログラム３８Ｉの実行に基づいて、無線通信部３１を制御してエラー信号を第１子機３に送信させる（ステップＳ２２１）。
【００８６】
次に、第１子機３が、第２子機３から、エラー信号を受信すると（ステップＳ２２２）、第１子機３のＣＰＵ３６は、信号音出力プログラム３８Ｈを実行することにより、不通音を出力し（ステップＳ２２３）、本処理を終了する。
【００８７】
次に、本実施形態に係る通話システム１における第２子機３が通話中等で着信できない場合の第１子機３と第２子機３との通話開始動作の一例について図７に示すフローチャートを参照しながら説明する。
なお、ステップＳ３０１〜ステップＳ３０３までの処理は、図５に示すフローチャートのステップＳ１０１〜ステップＳ１０３までの処理と同じであるので、その説明を省略する。
【００８８】
第２子機３のＣＰＵ３６は、無線通信部３１を制御して、空の応答信号を第１子機３に送信させる（ステップＳ３０４）。
【００８９】
次に、第１子機３が、第２子機３から送信された空の応答信号を受信すると（ステップＳ３０５）、第１子機３のＣＰＵ３６は、信号音出力プログラム３８Ｈを実行することにより、不通音を出力し（ステップＳ３０６）、本処理を終了する。
【００９０】
次に、本実施形態に係る通話システム１における子機３が通話可能な場合の外線着信を受けた親機２と子機３との通話開始動作の一例について図８に示すフローチャートを参照しながら説明する。
まず、親機２が、公衆回線Ｔを介して着信を受けると（ステップＳ４０１）、ＣＰＵ２７は、ブラウズプログラム２９Ｅを実行することにより、無線通信部２２を制御して、無線回線に接続される全ての子機３を検索するブラウズ信号を送信させる（ステップＳ４０２）。
【００９１】
次に、無線回線に接続されている一の子機３が、親機２から送信されたブラウズ信号を受信すると（ステップＳ４０３）、子機３のＣＰＵ３６は、無線通信部３１を制御して、当該子機３のＵＲＩを親機２に送信させる（ステップＳ４０４）。
【００９２】
次に、親機２が、子機３から送信されたＵＲＩを受信する（ステップＳ４０５）。
【００９３】
次に、子機３のＣＰＵ３６は、ブラウズプログラム３８Ｆを実行することにより、無線通信部３１を制御して、親機２を検索するブラウズ信号を送信する（ステップＳ４０６）。
【００９４】
次に、親機２が、子機３から送信されたブラウズ信号を受信すると（ステップＳ４０７）、親機２のＣＰＵ２７は、無線通信部２２を制御して、当該親機２のＵＲＩを子機３に送信させる（ステップＳ４０８）。
【００９５】
次に、子機３が、親機２から送信されたＵＲＩを受信する（ステップＳ４０９）。
【００９６】
次に、子機３のＣＰＵ３６は、通信確認プログラム３８Ｇを実行することにより、無線通信部３１を制御して、親機２のＵＲＩを指定して、ＨＴＴＰ  ＨＥＡＤを用いた要求信号を送信させ、親機２からＨＴＴＰのヘッダ情報が返信されるか否かにより、通信可能か否かを確認する（ステップＳ４１０）。
【００９７】
同様に、親機２のＣＰＵ２７は、通信確認プログラム２９Ｆを実行することにより、無線通信部２２を制御して、子機３のＵＲＩを指定して、ＨＴＴＰ  ＨＥＡＤを用いた要求信号を送信させ、子機３からＨＴＴＰのヘッダ情報が返信されるか否かにより、通信可能か否かを確認する（ステップＳ４１１）。
【００９８】
次に、親機２のＣＰＵ２７は、通話プログラム２９Ｈを実行することにより、無線通信部２２を制御して、子機３のＵＲＩを指定して、ＨＴＴＰ  ＧＥＴを用いた音声データ要求信号を送信させる（ステップＳ４１２）。
【００９９】
次に、子機３が、親機２から送信された音声データ要求信号を受信すると（ステップＳ４１３）、子機３のＣＰＵ３６は、信号音出力プログラム３８Ｈを実行することにより、着信音を出力する（ステップＳ４１４）。
【０１００】
次に、子機３のＣＰＵ３６は、通話プログラム３８Ｉを実行することにより、無線通信部３１を制御して、親機２のＵＲＩを指定して、ＨＴＴＰ  ＧＥＴを用いた音声データ要求信号を送信させる（ステップＳ４１５）。
【０１０１】
次に、親機２が、子機３から送信された音声データ要求信号を受信すると（ステップＳ４１６）、親機２のＣＰＵ２７は、通話プログラム２９Ｈの実行に基づいて、受話部２３から入力される電気信号をＭＰ３等の音声データに変換させ、無線通信部２２を制御して当該音声データを応答信号として子機３に送信させる（ステップＳ４１７）。
【０１０２】
次に、子機３が、親機２から、応答信号としての音声データを受信し（ステップＳ４１８）、ユーザにより操作部３５の通話ボタン（図示省略）が押下されると（ステップＳ４１９）、子機３のＣＰＵ３６は、通話プログラム３８Ｉの実行に基づいて、受話部３２から入力される電気信号をＭＰ３等の音声データに変換させ、無線通信部３１を制御して当該音声データを応答信号として親機２に送信させる（ステップＳ４２０）。
【０１０３】
次に、親機２が、子機３から、応答信号としての音声データを受信すると（ステップＳ４２１）、親機２と子機３との間で通話が開始される（ステップＳ４２２，ステップＳ４２３）。
【０１０４】
次に、本実施形態に係る通話システム１における子機３が着信拒否する場合の親機２と子機３との通話開始動作の一例について図９に示すフローチャートを参照しながら説明する。
なお、ステップＳ５０１〜ステップＳ５１８までの処理は、図８に示すフローチャートのステップＳ４０１〜ステップＳ４１８までの処理と同じであるので、その説明を省略する。
【０１０５】
ユーザにより子機３の操作部３５の切断ボタン（図示省略）が押下されると（ステップＳ５１９）、子機３のＣＰＵ３６は、通話プログラム３８Ｉの実行に基づいて、無線通信部３１を制御してエラー信号を親機２に送信させる（ステップＳ５２０）。
【０１０６】
次に、親機２が、子機３から、エラー信号を受信すると（ステップＳ５２１）、親機２は、他の子機３からの応答待ち状態となり（ステップＳ５２２）、本処理を終了する。
【０１０７】
次に、本実施形態に係る通話システム１における親機２と子機３との接続動作途中に親機２が別の子機３から着信応答を受信した場合の親機２と子機３との通話開始動作の一例について図１０に示すフローチャートを参照しながら説明する。
なお、ステップＳ６０１〜ステップＳ６１８までの処理は、図８に示すフローチャートのステップＳ４０１〜ステップＳ４１８までの処理と同じであるので、その説明を省略する。
【０１０８】
次に、親機２が無線回線に接続された別の子機３から着信応答を受信すると（ステップＳ６１９）、親機２のＣＰＵ２７は、通話プログラム２９Ｈの実行に基づいて、無線通信部２２を制御して、一の子機３に切断信号を送信させるとともに、当該一の子機３との接続を切断し（ステップＳ６２０）、ステップＳ６１９で着信応答を受信した別の子機３との通話を開始する（ステップＳ６２１）。
【０１０９】
次に、一の子機３が親機２から送信された切断信号を受信すると、一の子機３のＣＰＵ３６は、着信音の出力を停止し（ステップＳ６２２）、本処理を終了する。
【０１１０】
次に、本実施形態に係る通話システム１における親機２と公衆回線Ｔを介して接続された外部電話機（図示省略）が通話可能な場合の通話開始動作の一例について図１１に示すフローチャートを参照しながら説明する。
まず、子機３において、ＣＰＵ３６が表示制御プログラム３８Ｅを実行することにより、表示部３４に、無線回線に接続されている親機２と他の子機３，・・・の識別情報が一覧表示され、操作部３５から、表示部３４に一覧表示された親機２及び他の子機３，・・・の識別情報から、接続する親機２の識別情報を選択する操作信号が出力されるとともに、当該親機２と公衆回線Ｔを介して接続されている外部電話機（図示省略）の電話番号が入力されると（ステップＳ７０１）、ＣＰＵ３６は、ブラウズプログラム３８Ｆを実行することにより、無線通信部３１を制御して、選択された親機２を検索するブラウズ信号を送信させる（ステップＳ７０２）。
【０１１１】
次に、親機２が、子機３から送信されたブラウズ信号を受信すると（ステップＳ７０３）、親機２のＣＰＵ２７は、無線通信部２２を制御して、当該親機２のＵＲＩを子機３に送信させる（ステップＳ７０４）。
【０１１２】
次に、子機３が、親機２から送信されたＵＲＩを受信する（ステップＳ７０５）。
【０１１３】
次に、親機２のＣＰＵ２７は、ブラウズプログラム２９Ｅを実行することにより、無線通信部２２を制御して、子機３を検索するブラウズ信号を送信する（ステップＳ７０６）。
【０１１４】
次に、子機３が、親機２から送信されたブラウズ信号を受信すると（ステップＳ７０７）、子機３のＣＰＵ３６は、無線通信部３１を制御して、当該子機３のＵＲＩを親機２に送信させる（ステップＳ７０８）。
【０１１５】
次に、親機２が、子機３から送信されたＵＲＩを受信する（ステップＳ７０９）。
【０１１６】
次に、親機２のＣＰＵ２７は、通信確認プログラム２９Ｆを実行することにより、無線通信部２２を制御して、子機３のＵＲＩを指定して、ＨＴＴＰ  ＨＥＡＤを用いた要求信号を送信させ、子機３からＨＴＴＰのヘッダ情報が返信されるか否かにより、通信可能か否かを確認する（ステップＳ７１０）。
【０１１７】
同様に、子機３のＣＰＵ３６は、通信確認プログラム３８Ｇを実行することにより、無線通信部３１を制御して、親機２のＵＲＩを指定して、ＨＴＴＰ  ＨＥＡＤを用いた要求信号を送信させ、親機２からＨＴＴＰのヘッダ情報が返信されるか否かにより、通信可能か否かを確認する（ステップＳ７１１）。
【０１１８】
次に、子機３のＣＰＵ３６は、信号音出力プログラム３８Ｈを実行することにより、通話待機音を出力する（ステップＳ７１２）。
【０１１９】
次に、子機３のＣＰＵ３６は、通話プログラム３８Ｉを実行することにより、無線通信部３１を制御して、親機２のＵＲＩを指定して、ＨＴＴＰ  ＧＥＴを用いた音声データ要求信号及びステップＳ７０１において入力された電話番号を送信させる（ステップＳ７１３）。
【０１２０】
次に、親機２が、子機３から送信された音声データ要求信号及び電話番号を受信すると（ステップＳ７１４）、親機２のＣＰＵ２７は、当該電話番号に電話をかける（ステップＳ７１５）。
【０１２１】
次に、親機２のＣＰＵ２７は、通話プログラム２９Ｈを実行することにより、無線通信部２２を制御して、子機３のＵＲＩを指定して、ＨＴＴＰ  ＧＥＴを用いた音声データ要求信号を送信させる（ステップＳ７１６）。
【０１２２】
次に、子機３が、親機２から送信された音声データ要求信号を受信すると（ステップＳ７１７）、子機３のＣＰＵ３６は、通話プログラム３８Ｉの実行に基づいて、受話部３２から入力される電気信号をＭＰ３等の音声データに変換させ、無線通信部３１を制御して当該音声データを応答信号として親機２に送信させる（ステップＳ７１８）。
【０１２３】
次に、親機２が、子機３から、応答信号としての音声データを受信し（ステップＳ７１９）、外部電話機（図示省略）により電話が受理されると（ステップＳ７２０）、親機２のＣＰＵ２７は、通話プログラム２９Ｈの実行に基づいて、公衆回線Ｔを介して外部電話機から送信される電気信号をＭＰ３等の音声データに変換させ、無線通信部２２を制御して当該音声データを応答信号として子機３に送信させる（ステップＳ７２１）。
【０１２４】
次に、子機３が、親機２から、応答信号としての音声データを受信すると（ステップＳ７２２）、親機２を介して、子機３と外部電話機との間で通話が開始される（ステップＳ７２３，ステップＳ７２４）。
【０１２５】
次に、本実施形態に係る通話システム１における親機２と公衆回線Ｔを介して接続されている外部電話機が着信拒否する場合の通話開始動作の一例について図１２に示すフローチャートを参照しながら説明する。
なお、ステップＳ８０１〜ステップＳ８１９までの処理は、図５に示すフローチャートのステップＳ７０１〜ステップＳ７１９までの処理と同じであるので、その説明を省略する。
【０１２６】
親機２が、電話番号が間違っている等の理由により公衆回線Ｔを介して通話不可の通知信号を受信すると（ステップＳ８２０）、親機２のＣＰＵ２７は、通話プログラム２９Ｈの実行に基づいて、無線通信部２２を制御してエラー信号を子機３に送信させる（ステップＳ８２１）。
【０１２７】
次に、子機３が、親機２から、エラー信号を受信すると（ステップＳ８２２）、子機３のＣＰＵ３６は、信号音出力プログラム３８Ｈを実行することにより、不通音を出力し（ステップＳ８２３）、本処理を終了する。
【０１２８】
次に、本実施形態に係る通話システム１における親機２と公衆回線Ｔを介して接続された外部電話機（図示省略）が通話中等で着信できない場合の通話開始動作の一例について図１３に示すフローチャートを参照しながら説明する。
なお、ステップＳ９０１〜ステップＳ９０３までの処理は、図１１に示すフローチャートのステップＳ７０１〜ステップＳ７０３までの処理と同じであるので、その説明を省略する。
【０１２９】
親機２のＣＰＵ２７は、無線通信部２２を制御して、空の応答信号を子機３に送信させる（ステップＳ９０４）。
【０１３０】
次に、子機３が、親機２から送信された空の応答信号を受信すると（ステップＳ９０５）、子機３のＣＰＵ３６は、信号音出力プログラム３８Ｈを実行することにより、不通音を出力し（ステップＳ９０６）、本処理を終了する。
【０１３１】
次に、本実施形態に係る通話システム１において、第２子機３が通話可能である場合に、親機２を介する外部電話機（図示省略）と第１子機３との通話を第２子機３に転送する転送動作の一例について、図１４を参照しながら説明する。
まず、親機２を介して外部電話機と通話状態にある第１子機３のＣＰＵ３６が表示制御プログラム３８Ｅを実行することにより、表示部３４に、無線回線に接続されている親機２と他の子機３，・・・の識別情報が一覧表示され、操作部３５から、表示部３４に一覧表示された親機２及び他の子機３，・・・の識別情報から、転送先である子機３（第２子機３）の識別情報を選択する操作信号が出力されると（ステップＳ１００１）、ＣＰＵ３６は、通話プログラム３８Ｉの実行に基づいて、無線通信部３１を制御して、親機２に切断信号を送信させるとともに、当該親機２との接続を切断する（ステップＳ１００２）。
【０１３２】
次に、親機２は、第１子機３から送信された切断信号を受信すると、ＣＰＵ２７は、信号音出力プログラム２９Ｇを実行することにより外部電話機に保留音を出力する（ステップＳ１００３）。
【０１３３】
次に、第１子機３のＣＰＵ３６は、ブラウズプログラム３８Ｆを実行することにより、無線通信部３１を制御して、ステップＳ１００１において選択された第２子機３を検索するブラウズ信号を送信させる（ステップＳ１００４）。
【０１３４】
次に、第２子機３が、第１子機３から送信されたブラウズ信号を受信すると（ステップＳ１００５）、第２子機３のＣＰＵ３６は、無線通信部３１を制御して、当該第２子機３のＵＲＩを第１子機３に送信させる（ステップＳ１００６）。
【０１３５】
次に、第１子機３が、第２子機３から送信されたＵＲＩを受信すると（ステップＳ１００７）、第１子機３のＣＰＵ３６は、通話プログラム３８Ｉを実行することにより、無線通信部３１を制御して、第２子機３を指定して、ＨＴＴＰ  ＰＯＳＴを用いたＰｏｓｔ要求信号を送信させる（ステップＳ１００８）。
【０１３６】
次に、第２子機３が、第１子機３から送信されたＰｏｓｔ要求信号を受信する（ステップＳ１００９）。
【０１３７】
次に、第１子機３のＣＰＵ３６は、通話プログラム３８Ｉを実行することにより、無線通信部３１を制御して、親機２を指定して、ＨＴＴＰ  ＰＯＳＴを用いたＰｏｓｔ要求信号を送信させる（ステップＳ１０１０）。
【０１３８】
次に、親機２が、第１子機３から送信されたＰｏｓｔ要求信号を受信する（ステップＳ１０１１）。
【０１３９】
次に、ステップＳ１００９におけるＰｏｓｔ要求信号の受信に基づいて、第２子機３のＣＰＵ３６は、通話プログラム３８Ｉを実行することにより、受話部３２から入力される電気信号をＭＰ３等の音声データに変換させ、無線通信部３１を制御して当該音声データを親機２に送信させる（ステップＳ１０１２）。
【０１４０】
次に、親機２が、第２子機３から送信された音声データを受信すると（ステップＳ１０１３）、親機２のＣＰＵ２７は、ステップＳ１０１１におけるＰｏｓｔ要求信号の受信に基づいて、通話プログラム２９Ｈを実行することにより、公衆回線を介して外部電話機から入力される電気信号をＭＰ３等の音声データに変換させ、無線通信部２２を制御して当該音声データを第２子機３に送信させるとともに（ステップＳ１０１４）、保留音の外部電話機への出力を停止する（ステップＳ１０１５）。
【０１４１】
次に、第２子機３が、親機２から送信される音声データを受信し（ステップＳ１０１６）、親機２を介して外部電話機と第２子機３との通話が開始される（ステップＳ１０１７）。
【０１４２】
次に、本実施形態に係る通話システム１において、第２子機３が通話不可能である場合に、親機２を介する外部電話機（図示省略）と第１子機３との通話を第２子機３に転送する転送動作の一例について、図１５を参照しながら説明する。
なお、ステップＳ１１０１〜ステップＳ１１０５までの処理は、図１４に示すフローチャートおけるステップＳ１００１〜ステップＳ１００５までの処理と同じであるので、その説明を省略する。
【０１４３】
第２子機３のＣＰＵ３６は、無線通信部３１を制御して、空の応答信号を第１子機３に送信させる（ステップＳ１１０６）。
【０１４４】
次に、第１子機３が、第２子機３から送信された空の応答信号を受信すると（ステップＳ１１０７）、第１子機３のＣＰＵ３６は、表示部３４に転送不可である旨を示す所定の表示を表示させるとともに（ステップＳ１１０８）、通話プログラム３８Ｉを実行することにより、無線通信部３１を制御して、親機２のＵＲＩを指定して、ＨＴＴＰ  ＧＥＴを用いた音声データ要求信号を送信させる（ステップＳ１１０９）。
【０１４５】
次に、親機２が、第１子機３から送信された音声データ要求信号を受信すると（ステップＳ１１１０）、親機２のＣＰＵ２７は、通話プログラム２９Ｈを実行することにより、受話部２３から入力される電気信号をＭＰ３等の音声データに変換させ、無線通信部２２を制御して当該音声データを応答信号として第１子機３に送信させる（ステップＳ１１１１）。
【０１４６】
次に、第１子機３が、親機２から、応答信号としての音声データを受信する（ステップＳ１１１２）。
【０１４７】
次に、親機２のＣＰＵ２７は、通話プログラム２９Ｈの実行に基づいて、無線通信部２２を制御して、第１子機３のＵＲＩを指定して、ＨＴＴＰ  ＧＥＴを用いた音声データ要求信号を送信させる（ステップＳ１１１３）。
【０１４８】
次に、第１子機３が、親機２から送信された音声データ要求信号を受信すると（ステップＳ１１１４）、第１子機３のＣＰＵ３６は、通話プログラム３８Ｉの実行に基づいて、受話部３２から入力される電気信号をＭＰ３等の音声データに変換させ、無線通信部３１を制御して当該音声データを応答信号として親機２に送信させる（ステップＳ１１１５）。
【０１４９】
次に、親機２が、第１子機３から送信された応答信号としての音声データを受信すると（ステップＳ１１１６）、親機２のＣＰＵ２７は、外部電話機への保留音の出力を停止し（ステップＳ１１１７）、親機２を介して、外部電話機と第１子機３との通話が再開される（ステップＳ１１１８，ステップＳ１１１９）。
【０１５０】
以上に説明した本発明に係る通話システム１によれば、親機２において、ＣＰＵ２７が認証プログラム２９Ｂを実行することにより、無線回線に接続された子機３が無線ＬＡＮ規格に基づいて認証され、ＣＰＵ２７が通話プログラム２９Ｈを実行することにより、無線回線に接続された子機３と、ＤＬＮＡ規格に基づいて通信接続して通話が行われ、子機３において、ＣＰＵ３６がマルチキャストプログラム３８Ｃを実行することにより、無線回線に接続する際に、当該無線回線に接続されている親機２及び他の子機３，・・・が検索され、検索された親機２及び他の子機３，・・・の識別情報が取得され、ＣＰＵ３６が通話プログラム３８Ｉを実行することにより、マルチキャストプログラム３８Ｃを実行することによって検索された親機２及び他の子機３，・・・と、ＤＬＮＡ規格に基づいて通信接続して通話が行われるので、無線ＬＡＮ規格に基づいて認証可能で、且つ、ＤＬＮＡ規格に基づいて通信接続可能な機器であれば、なんであっても子機３として無線回線に接続して、当該無線回線に接続されている親機２及び他の子機３，・・・と通話できるので、親機２に接続する子機３の個数及び種類をより自由に選択することができる。
【０１５１】
また、子機３において、一覧データファイル３８Ａにより、ＣＰＵ３６がマルチキャストプログラム３８Ｃを実行することによって取得された識別情報が記憶され、ＣＰＵ３６が表示制御プログラム３８Ｅを実行することにより、一覧データファイル３８Ａに記憶された親機２及び他の子機３，・・・の識別情報が表示部３４に一覧表示され、操作部３５により、表示部３４に表示された親機２及び他の子機３，・・・の識別情報の中から接続する親機２又は子機３が選択され、ＣＰＵ３６が通話プログラム３８Ｉを実行することにより、操作部３５によって選択された親機２又は子機３と、ＤＬＮＡ規格に基づいて通信接続して通話が行われるので、子機３のユーザが無線回線に接続されている親機２及び他の子機３，・・・を認識していなくても、所望する親機２又は子機３とより容易に接続することができる。
【０１５２】
また、子機３において、ＣＰＵ３６が更新プログラム３８Ｄを実行することにより、親機２のＣＰＵ２７が認証プログラム２９Ｂを実行することによって、無線回線に新たに接続された子機３が認証された際に、当該子機３から当該子機３の識別情報が取得され、取得された当該子機３の識別情報に基づいて、一覧データファイル３８Ａが更新されるので、無線回線に新たに子機３が追加された場合にも、当該無線回線に接続されている他の子機３，・・・全てを一覧表示して選択することができる。
【０１５３】
なお、本実施形態では、親機２が公衆回線に接続される固定電話機として機能するように構成したが、別に固定電話機を設けて、当該固定電話機が親機２を介して公衆回線に接続されるように構成してもよい。
【図面の簡単な説明】
【０１５４】
【図１】本発明に係る通話システムの概略構成の一例を示す図である。
【図２】本発明に係る親機の構成の一例を示すブロック図である。
【図３】本発明に係る子機の構成の一例を示すブロック図である。
【図４】本発明に係る通話システムにおける認証動作の一例を説明するフローチャートである。
【図５】本発明に係る通話システムにおける子機間の通話開始動作の一例を説明するフローチャートである。
【図６】本発明に係る通話システムにおける子機間の通話開始動作の一例を説明するフローチャートである。
【図７】本発明に係る通話システムにおける子機間の通話開始動作の一例を説明するフローチャートである。
【図８】本発明に係る通話システムにおける親機を介した外部電話機と子機との通話開始動作の一例を説明するフローチャートである。
【図９】本発明に係る通話システムにおける親機を介した外部電話機と子機との通話開始動作の一例を説明するフローチャートである。
【図１０】本発明に係る通話システムにおける親機を介した外部電話機と子機との通話開始動作の一例を説明するフローチャートである。
【図１１】本発明に係る通話システムにおける子機が親機を介して外部電話機へ電話をかける際の通話開始動作の一例を説明するフローチャートである。
【図１２】本発明に係る通話システムにおける子機が親機を介して外部電話機へ電話をかける際の通話開始動作の一例を説明するフローチャートである。
【図１３】本発明に係る通話システムにおける子機が親機を介して外部電話機へ電話をかける際の通話開始動作の一例を説明するフローチャートである。
【図１４】本発明に係る通話システムにおける親機を介する外部電話機と子機との通話を別の子機に転送する際の転送動作の一例を説明するフローチャートである。
【図１５】本発明に係る通話システムにおける親機を介する外部電話機と子機との通話を別の子機に転送する際の転送動作の一例を説明するフローチャートである。
【符号の説明】
【０１５５】
１  通話システム
２  親機
２７  ＣＰＵ（認証手段，第１通話手段）
２９Ｂ  認証プログラム（認証手段）
２９Ｅ  ブラウズプログラム（第１通話手段）
２９Ｆ  通信確認プログラム（第１通話手段）
２９Ｈ  通話プログラム（第１通話手段）
３  子機
３４  表示部
３５  操作部（選択手段）
３６  ＣＰＵ（検索取得手段，更新手段，表示制御手段，第２通話手段）
３８  記憶部（記憶手段）
３８Ａ  一覧データファイル（記憶手段）
３８Ｃ  マルチキャストプログラム（検索取得手段）
３８Ｄ  更新プログラム（更新手段）
３８Ｅ  表示制御プログラム（表示制御手段）
３８Ｆ  ブラウズプログラム（第２通話手段）
３８Ｇ  通信確認プログラム（第２通話手段）
３８Ｉ  通話プログラム（第２通話手段）
Ｔ  公衆回線
【図１】
2008124858.tif 000003
【図２】
2008124858.tif 000004
【図３】
2008124858.tif 000005
【図４】
2008124858.tif 000006
【図５】
2008124858.tif 000007
【図６】
2008124858.tif 000008
【図７】
2008124858.tif 000009
【図８】
2008124858.tif 000010
【図９】
2008124858.tif 000011
【図１０】
2008124858.tif 000012
【図１１】
2008124858.tif 000013
【図１２】
2008124858.tif 000014
【図１３】
2008124858.tif 000015
【図１４】
2008124858.tif 000016
【図１５】
2008124858.tif 000017